(57)【要約】本開示は、インターネットナビゲーションページを生成する方法および装置を紹介する。インターネットナビゲーションの方法には、ベースページを作成すること、ユーザー定義のウェブサイト情報を受け取ること、およびユーザー定義のウェブサイト情報に基づいて上記ベースページに少なくとも１つのウェブリンクロゴを追加することが含まれる。ユーザー定義のウェブサイト情報には、ウェブサイトアドレス、カスタマイズされたウェブサイト名、およびベースページに追加されたウェブリンクロゴの位置が含まれる。開示された手法により、ユーザーは、個人のインターネット習癖に基づいてナビゲーションウェブサイトの内容を個人的にカスタマイズすることができる。その一方で、すべてのウェブサイトリンクロゴをナビゲーションページの任意の位置に置くことができる。「お気に入り」との比較において、ナビゲーションページは可視性が向上し、したがってウェブサイトを識別しやすくなる。
2013508807.tif 000002
【特許請求の範囲】
【請求項１】
インターネットナビゲーションページを生成する方法であって、
ベースページを作成することと、
ユーザー定義のウェブサイト情報を受け取ることと、
前記ユーザー定義のウェブサイト情報に基づいて前記ベースページ上に少なくとも１つのウェブサイトリンクロゴを追加することとを含み、前記ユーザー定義のウェブサイト情報は、ウェブサイトアドレス、カスタマイズされたウェブサイト名、および前記ベースページ上の前記ウェブサイトリンクロゴの位置を含む、方法。
【請求項２】
ユーザー入力に基づいて前記ベースページに追加された前記ウェブサイトリンクロゴを修正または削除することをさらに含み、前記ウェブサイトリンクロゴを修正することは、前記ウェブサイトリンクロゴに対応するウェブサイトアドレス、前記カスタマイズされたウェブ名、または前記ウェブサイトリンクロゴの元の位置のうちの少なくとも１つを修正することを含む、請求項１の方法。
【請求項３】
前記ウェブサイトリンクロゴのアイコンをセットアップすることをさらに含み、該アイコンは、デフォルトアイコンまたはユーザー定義のアイコンのいずれかである、請求項１の方法。
【請求項４】
前記ベースページの背景画像をセットアップすることをさらに含み、該背景画像は、デフォルトの背景画像またはユーザー定義の背景画像のいずれかである、請求項１の方法。
【請求項５】
請求項１の方法であって、前記ユーザー定義のウェブサイト情報を受け取る前に、
ウェブサイト名およびウェブサイトアドレスを含む、少なくとも１つのウェブサイトの基本情報を取得することと、
前記少なくとも１つのウェブサイトの前記取得された基本情報を推薦ウェブサイト情報としてユーザーに与えることとをさらに含む、前記方法。
【請求項６】
請求項５の方法であって、少なくとも１つのウェブサイトの基本情報を取得することは、
前記ユーザーのオンライン履歴を取得することと、
前記少なくとも１つのウェブサイトに対する前記ユーザーの訪問習癖に関する情報を取得するために前記オンライン履歴を分析することとを含む、前記方法。
【請求項７】
前記ユーザーの前記オンライン履歴は、前記ユーザーのブラウジング履歴、ブラウジングツールを使用する前記ユーザーの行動履歴、またはそれらの組み合わせを含む、請求項６の方法。
【請求項８】
請求項５の方法であって、前記ベースページは検索エンジンモジュールを含み、少なくとも１つのウェブサイトの基本情報を取得することは、
前記検索エンジンモジュールの検索結果を取得することと、
前記検索結果から前記少なくとも１つのウェブサイトの基本情報を取得することとを含む、前記方法。
【請求項９】
請求項５の方法であって、前記少なくとも１つのウェブサイトの前記取得された基本情報を推薦ウェブサイト情報としてユーザーに与えることは、
前記少なくとも１つのウェブサイトの前記アドレスが前記ベースページの前記ウェブサイトリンクロゴに対応する前記アドレスと同一であるか否かを判断することと、
前記少なくとも１つのウェブサイトの前記アドレスが前記ベースページの前記ウェブサイトリンクロゴに対応する前記アドレスと同一でない場合に、前記ウェブサイト基本情報を前記推薦ウェブサイト情報として前記ユーザーに与えることとを含む、前記方法。
【請求項１０】
オンラインナビゲーションページを生成するシステムであって、
ベースページを作成するウェブページ作成モジュールと、
ユーザー定義のウェブサイト情報を受け取る、情報受け取りモジュールと、
少なくとも１つのウェブサイトのウェブサイトリンクロゴを追加し、前記ユーザー定義情報に従ってインターネットナビゲーションページを生成する生成モジュールとを備え、前記ユーザー定義のウェブサイト情報は、ウェブサイトアドレス、カスタマイズされたウェブサイト名、および前記ベースページ上の前記ウェブサイトリンクロゴの位置を含む、システム。
【請求項１１】
ユーザー入力に従って前記ベースページ上の前記ウェブサイトリンクロゴを修正または削除するロゴ処理モジュールをさらに備え、前記ウェブサイトリンクロゴを修正することは、前記ウェブサイトリンクロゴに対応するウェブサイトアドレス、前記カスタマイズされたウェブ名、または前記ウェブサイトリンクロゴの元の位置のうちの少なくとも１つを修正することを含む、請求項１０のシステム。
【請求項１２】
前記ウェブサイトリンクロゴのアイコンをセットアップするアイコンセットアップモジュールをさらに備え、該アイコンは、デフォルトアイコンまたはユーザー定義のアイコンのいずれかである、請求項１０のシステム。
【請求項１３】
前記ベースページの背景画像をセットアップする背景モジュールをさらに備え、該背景画像は、デフォルト背景画像またはユーザー定義の背景画像のいずれかである、請求項１０のシステム。
【請求項１４】
前記情報受け取りモジュールが前記ユーザー定義情報を受け取る前に、少なくとも１つのウェブサイトの基本情報を取得する推薦モジュールをさらに備え、該ウェブサイト基本情報は推薦ウェブサイト情報として前記ユーザーに与えられ、前記少なくとも１つのウェブサイトの基本情報はウェブサイト名およびウェブサイトアドレスを含む、請求項１０のシステム。
【請求項１５】
請求項１４のシステムであって、前記推薦モジュールは、
前記取得されたウェブサイトの基本情報を前記対応するウェブサイトアドレスと比較して、現在の前記ベースページ上の前記ウェブサイトリンクロゴが前記対応するウェブサイトアドレスと同一であるか否かを判断する比較ユニットと、
前記ベースページ上の前記ウェブサイトリンクロゴが前記対応するウェブサイトアドレスと同一でない場合に、前記ウェブサイトの基本情報を前記推薦ウェブサイト情報として前記ユーザーに与える推薦ユニットとを含む、前記システム。
【発明の詳細な説明】
【技術分野】
【０００１】
本願は、２００９年１０月１９日に出願された中国特許出願第2009102094196.5号「インターネットナビゲーションページを生成する方法および装置」からの優先権を主張し、その全体を本明細書に組み込む。
【０００２】
本開示は、概括的にはコンピュータアプリケーションに関し、より具体的には、インターネットナビゲーションページの生成に関する。
【背景技術】
【０００３】
インターネットの急速な発展に伴い、ウェブサイトの数は増加し続け、その内容はより豊富になっている。そのため、所望のウェブサイトを簡便かつ迅速に見出せることがユーザーにとって必要である。このようなユーザーのニーズに応えるため、「ナビゲーションウェブサイト」と呼ばれる種類の専門ウェブサイトが現れた。これらのウェブサイトは、それ自体としてはさほどの内容を有していないが、人気ウェブサイトの多数のユニフォームリソースロケータ（ＵＲＬ）を収集しており、それらの対応ＵＲＬがリンクフォーマットでユーザーに提供される。上記ナビゲーションウェブサイトは、ユーザーが所望のサイトをすばやく見つけることができるようにするため、収集されたウェブサイトを、ある特定の条件に応じて分類することもできる。したがって、ユーザーはすべてのウェブサイトのそれぞれのＵＲＬを記憶する必要がない。ナビゲーションウェブサイトを介して、ユーザーは所望のウェブサイトにただちに接続することができる。
【０００４】
ナビゲーションウェブサイトは、多くの場合、一般的かつ人気のあるＵＲＬだけを示す。通常は、これにより、大多数のユーザーのニーズが満たされる。しかし、実際のオンライン習癖は多様であり、ナビゲーションウェブサイトは全員のニーズに応じる手段を有していない。特定ユーザーの立場から言えば、当該ウェブサイトによって提供される情報が十分でないと思うかもしれない。多くの余分なデータがあるとユーザーが感じることもありえる。したがって、ナビゲーションウェブサイトは、その特性上、全員のニーズを満たすことができない。
【０００５】
個人のインターネットニーズを満たすために、多くのブラウザは、ＵＲＬをリンク形式で保存することができる「お気に入り」や「ブックマーク」のような機能を提供している。これは、ナビゲーションウェブサイトの基本的な役割と同様、ユーザーにとってウェブサイトを迅速に見つけるための便利な方法である。ナビゲーションウェブサイトとは異なり、ユーザーは、各ＵＲＬを手作業で収集し、それらを保存する必要がある。これに対応して、ユーザーは、自分自身の習癖に応じ、ＵＲＬを適宜追加または削除することもできる。しかし、ブラウザの一機能である「お気に入り」は、それ自体として、表示および分類機能が非常に限定されている。多数のＵＲＬが存在する時、通常、ユーザーは「お気に入り」の中の必要とするウェブサイトをナビゲーションウェブサイトほど迅速に探し出すことはできない。さらに、新しいＵＲＬを「お気に入り」に追加するたびに、それを手作業で行う必要があり、これはユーザーにとって煩わしいものになりえる。
【発明の概要】
【０００６】
上述の技術的問題を解決するために、本開示の実施形態は、インターネットナビゲーションページを生成する方法およびシステムを提供する。ユーザーは、個人のオンライン習癖に応じてインターネットナビゲーションページをカスタマイズすることができる。
【０００７】
本開示の実施例は、従来のナビゲーションウェブサイトとの比較において、ユーザーの個人的習癖に応じてナビゲーションページの内容を自動的に判断する技術的方式を提供する。また、すべてのウェブリンクロゴをナビゲーションページ上に任意に配置することができる。お気に入りと比較した場合、ナビゲーションページの表示物はより可視的であり、ウェブサイトの分類がより簡単になる。
【０００８】
当然ながら、以下の図は、本開示のいくつかの実施例を示しているにすぎない。当業者から見れば、あえて何か新しいものを作ることなく、これらの図に基づいて他の図を作成することも可能である。
【図面の簡単な説明】
【０００９】
【図１】本開示に基づいてインターネットナビゲーションページを生成する方法のフローチャートである。
【図２】本開示に基づいて生成されるインターネットナビゲーションページの概略図である。
【図３】本開示に基づいて生成されるインターネットナビゲーションページの別の概略図である。
【図４】本開示に基づいて生成されるインターネットナビゲーションページのさらに別の概略図を示す。
【図５】本開示に基づいてインターネットナビゲーションページを生成する方法のフローチャートである。
【図６】本開示に基づくインターネットナビゲーションページの生成システムの概略図である。
【図７】本開示に基づくインターネットナビゲーションページの生成システムの別の概略図である。
【発明を実施するための形態】
【００１０】
当業者が本開示の技術的方式をより適切に理解できるようにするため、添付の図を通じて、以下に本開示の実施例における技術的方式を明瞭かつ完全に説明する。当然ながら、ここに記述する実施例は、本開示の実施形態の全部ではなく一部を構成するにすぎない。創造的な仕事という前提の下で働いた経験がない当業者によって得られる実施例は、本開示の範囲に含まれるものとする。
【００１１】
第一の実施例
図１は、本開示に基づいてインターネットナビゲーションページを生成する方法１００を示す。
【００１２】
Ｓ１０１において、ベースページがセットアップされる。
【００１３】
Ｓ１０２において、ユーザー定義のウェブサイト情報を受け取る。
【００１４】
Ｓ１０３において、受け取ったユーザー定義情報に基づき、少なくとも１つのウェブサイトリンクロゴがベースページに追加される。
【００１５】
上記のユーザー定義のウェブサイト情報にウェブサイトアドレスおよび対応するユーザー定義のウェブサイト名が含まれている必要がある。
【００１６】
ウェブサイトアドレス（以下の文中では単にウェブアドレスと呼ぶ）は、ウェブサイトを直接マーキングするために使用される唯一の情報である。ウェブアドレスは、インターネットプロトコル（ＩＰ）アドレスという形である可能性があり、また、ドメイン名の形式ということもありえる。ウェブアドレスに基づき、ブラウザは、このアドレスの対応ウェブサイトに直接リンクすることができる。
【００１７】
すべての任意ウェブアドレスは、ウェブサイト名（タイトル）に対応する。ウェブアドレスに基づき、システムは対応するウェブサイト名を直接的に取得することができる。ウェブサイトリンクロゴを追加する際、ユーザーは、デフォルトウェブサイト名を直接選ぶことができ、また、このウェブサイトにカスタマイズされた名前を与えることもできる。このカスタマイズされた名前がナビゲーションのページに表示されるウェブサイトリンクロゴの名前になる。
【００１８】
さらに、ユーザー定義のウェブサイト情報は、本開示の具体例に従えば、１つの重要な情報であるベースページ上のウェブリンクロゴの場所も含む。本開示の方式に基づく生成ナビゲーションページの使用とお気に入り機能の使用における最大の違いは、図２に示すように、１つのナビゲーションページに各ウェブサイトリンクロゴが入り、そのページ上の各ウェブリンクロゴが固有の位置を有することである。したがって、そのページ上にウェブリンクロゴを追加する際は、そのリンクの位置に関する情報を与えることも必要である。
【００１９】
一般に、位置情報を特定する方法は、ナビゲーションページの左隅の頂点を原点として使用し、画素を単位として、直交座標系を形成するという方法である。これにより、任意の点がナビゲーションページ上の水平および垂直座標によって表現される。ウェブリンクロゴを追加する際、ユーザーは、特定の座標を直接与えることができる。このようにして、追加したウェブサイトリンクロゴがナビゲーションページ上の対応位置に提示されるようにすることができる。
【００２０】
次に、位置情報を与えるための最適化方式について説明する。ユーザーは、マウス、キーボード、またはその他の入力装置を最初に使用して、ナビゲーションページ上のカーソルを所望の位置に動かす。次いでユーザーはマウス（または入力装置）をクリックして、ウェブリンクロゴの表示物を追加する。この時点までに、システムは、カーソルの現在位置の座標を自動的に取得することができる。システムは、その座標を追加されたウェブリンクロゴの位置情報として使用する。代替的または追加的に、システムは、現在のカーソル位置の座標を取得した後、その取得した位置情報をユーザーに対して表示する。次いでユーザーはその座標を編集することができる。ユーザーによる確認後、システムは、ユーザー修正済みの座標を位置情報として使用し、ナビゲーションページ上に当該ウェブリンクロゴを追加する。
【００２１】
次に、位置情報を与えるための別の最適化方式について説明する。ウェブリンクロゴの追加時に、システムはユーザーが位置情報を与えるように求めないが、現在のページの使用状況に基づいて、新たに追加されたウェブリンクロゴの位置を自動的に割り当てる。ウェブリンクロゴの追加後、ロゴ位置がユーザーの現在位置に基づいて修正される。
【００２２】
生成されたナビゲーションページ上で、ユーザーは、そのページ上のウェブリンクロゴを任意に追加または削除することができる。そのページ上の既存のウェブリンクロゴを修正することも可能である。カスタマイズされたウェブサイト情報の特徴に対応する内容を修正するために、本明細書で基本的なプロセスを説明する。ユーザーは、現在のページ上の既存ウェブリンクロゴを考慮して、より新しいウェブサイトアドレス、カスタマイズされたウェブサイト名、および／または上記ベースページ上のこのウェブリンクロゴの位置を与える。システムは、ユーザーから与えられた情報に基づき、対応するウェブリンクロゴを生成する。
【００２３】
独自の特徴として、位置情報を修正する場合、ユーザーはページ上のウェブサイトリンクロゴに関してマウスのドラッグアンドドロップ方式を使用することができる。システムは、ユーザーによるウェブサイトリンクロゴのドラッグ操作を検出すると、ナビゲーションページ上のユーザーの現在座標およびより新しいリアルタイムのウェブサイトリンクロゴ位置情報をリアルタイムで取得する。この方法により、ユーザーは、自分の個人的な習癖に基づいて、各ウェブリンクロゴをページ上の任意の位置に配置することができる。各ウェブリンクの配置の違いに基づいて各ウェブサイトリンクロゴを分類することもでき、これにより、必要とするウェブサイトのオンライン検索が迅速化される。
【００２４】
ウェブサイトまたはお気に入りの検索と比較して、実施例の生成されたナビゲーションページは、よりカスタマイズ可能性が高く、かつより好適なユーザー体験を提供する。たとえば、このナビゲーションページでは、各ウェブリンクロゴのアイコンをセットアップすることができ、それにより各ウェブリンクロゴが容易に区別できるようになる。システムは、ユーザーが選択できるように複数のデフォルトアイコンを提供することもできる。ユーザーは、個人化されたアイコンを利用することもできる。多くの場合、ユーザーは、テキストよりもグラフィックスに対してより敏感である。ページ上で各ウェブサイトリンクロゴの個人化アイコンがセットアップされた後、ユーザーは対応ウェブサイトロゴをより素早く見つけられるようになる。同様に、生成されたナビゲーションページでは、デフォルト背景画像を用いて、またはユーザーがカスタマイズした背景画像によって、ベースページの背景画像をセットアップすることもできる。図３は、背景画像と組み合わされたナビゲーションページのウェブリンクロゴアイコンの例を示す。当業者は、付加的な表示物を含めるために、検索エンジン、天気予報、株式市況、およびその他のモジュールを追加することもできる（検索エンジンモジュールが追加された場合を図４に示す）。図３のナビゲーションページ３００および図４のナビゲーションページ４００もまた本開示の範囲に含まれる。
【００２５】
本開示の実装例によれば、生成されたナビゲーションページをローカルコンピュータ内に直接格納することができ、また、ブラウザのホームページとして直接セットアップすることができる。ナビゲーションウェブサイトと比較して、生成されたナビゲーションページを使用した場合、そのカスタマイズ機能とは別に、ユーザーは、ローカルコンピュータのナビゲーションページを開く際、ネットワークに接続している必要がない。これにより、ナビゲーションウェブサイトを訪れるために使用したはずのネットワーク帯域幅が節約される。当然ながら、ローカルコンピュータ内のデータ消失を回避するために、生成されたナビゲーションページをネットワークのバックアップサーバー上に保存することもできる。本開示の実装例は、これらの場合に限定されるものではない。
【００２６】
第二の実施例
既存の技術を使用する場合、ユーザーは、ウェブアドレスをお気に入りに追加するために手作業の方法を自ら選択する必要がある。本実装例に示すナビゲーションページの生成方法は、１つ以上のウェブサイトを推薦するようユーザーに対して自動的に求めることができ、それによりナビゲーションページに対するウェブサイトリンクロゴの手作業による追加が不要とされるものである。
【００２７】
図５は、第二の実施例の方法５００を示す。図１に示した第一の実施例の方法１００との比較において、カスタマイズされたウェブサイト情報を受け取る前に、方法５００は追加ステップＳ２００を含む。
【００２８】
Ｓ２００において、少なくとも１つのウェブサイトの基本情報が取得される。取得された基本的なウェブサイト情報は、少なくとも１つのウェブサイトを推奨するために使用される。その少なくとも１つのウェブサイトの基本情報には、少なくともウェブサイト名とそのアドレスが含まれる。
【００２９】
当然のことながら、初めてインターネットナビゲーションページが生成される時点で、多数のウェブリンクロゴを追加することが必要とされる可能性がある。追加された各ウェブサイトリンクにユーザーからのカスタマイズされた情報が含まれる場合、その作業はより複雑になる。本実装例の方式によれば、システムは、ユーザー定義のウェブサイト情報を受け取る前に、１つ以上のウェブサイトの選択を推薦するようユーザーに対して最初に求めることができる。これを実行するための３つの方法を以下に説明する。
【００３０】
方法１
システムは、ウェブサイト上の既存情報に基づいてウェブサイトを推薦するようユーザーに求めることができる。たとえば、システムは、ナビゲーションウェブサイトに格納されたウェブサイト情報をユーザーが利用できるようにする。言い換えれば、しばしば使用される、または人気のあるウェブサイトの基本情報がユーザーに提示されるということである。ここでいうウェブサイトの基本情報には、ウェブサイト名およびアドレスが含まれる。最適には、ウェブサイトの紹介文に関係した記述もウェブサイトの基本情報の一部として含めることが考えられる。システム内の推薦ウェブサイトの中から、ユーザーは１つまたは複数のウェブサイトを選ぶことができる。ユーザーの選択に基づいて、システムは、より多くのユーザー定義のウェブサイト情報を自動的に生成することができる。さらに、この情報に基づいて、システムは、対応するウェブリンクロゴを自動的にページ上に追加することができ、ユーザーがそれらを手作業で追加する手間が省かれる。
【００３１】
方法２
この実装例の最適化方式の場合、ユーザーのオンライン履歴に基づいて、システムは自動的にユーザーのインターネット習癖を分析し、対応するウェブサイトをユーザーに推薦することができる。この方法では、ユーザーのオンライン履歴に関係した情報が最初に取得され、その情報を分析した後、ユーザーが習慣的に訪れるウェブサイトの少なくとも基本情報が取得される。
【００３２】
ユーザーのオンライン履歴に関係した情報には、ウェブサイトの履歴情報および／またはユーザーによって使用されるブラウジングツールの動作履歴を含めてもよい。ユーザーが閲覧するウェブサイトの履歴情報には、訪れたＵＲＬ、訪問の頻度、訪問時間の長さ、当該ウェブサイトにおけるアカウント情報の有無、ダウンロードおよびアップロード記録の有無などの情報を含めてもよい。ブラウジングツールの動作履歴情報には、ユーザーが以前にどのページをスタートアップページまたはホームページとしてセットアップしたか、アドレスバーに特定ウェブサイトのアドレスが入力される頻度、お気に入りから特定ＵＲＬがクリックされる回数、お気に入りへの特定ウェブサイトの追加の反復などの情報を含めてもよい。
【００３３】
システムは、上記のアクセスされた情報を判断することができる。たとえば、システムは、過去のある期間におけるユーザーのブラウジング行動またはブラウザ使用時の操作行動を分析することができる。さらに、システムは、ユーザーが好む可能性がある１つ以上のウェブサイトを取得することができる。次いでシステムは、それらのウェブサイトの基本情報（ウェブサイト名およびアドレスを含む）を取得し、リスト形式でユーザーに推薦することができる。ユーザーは、その推薦リストから、ナビゲーションページに追加されるべきウェブサイトを直接選択することができる。システムは、ユーザーの選択に基づいてユーザー定義のウェブサイト情報を生成し、対応するウェブサイトリンクロゴをそのページに追加する。
【００３４】
方法３
別の最適化方式の場合、システムは、ユーザーの検索要件に基づいてウェブサイトを推薦するようユーザーに求めることができる。
【００３５】
第一の実施例について先に説明したように、ナビゲーションページで検索エンジンモジュールをさらに追加することができる。ウェブサイトを探すためにユーザーが検索エンジンモジュールを使用する場合、得られた検索結果には、ユーザーの興味を引く可能性が非常に高いウェブサイトが含まれる。この分析に基づき、当該検索エンジンモジュール内のシステムは、同時に検索結果を返すとともに、その検索結果に対応する１つ以上のウェブサイトをユーザーに推薦することができる。
【００３６】
たとえば、システムは、検索結果から得られた最初の５件のウェブサイトの名前およびアドレスを一覧し、それをユーザーに推薦することができる。推薦された情報から、ユーザーは、そのページに追加されるべきウェブサイトを直接選ぶことができる。ユーザーの選択に基づいて、システムは、さらにユーザー定義のウェブサイト情報を生成し、対応するリンクロゴをそのページに追加する。
【００３７】
以上、ユーザーにウェブサイト情報を推薦するように求める３つの方法を説明した。ユーザーは、システムが推薦するウェブサイト情報に基づいて選択することができる。したがって、これによりウェブサイトリンクロゴを追加する手作業を減少させることができる。実施例を統合することにより、その作業プロセスにおけるユーザーがこれに対応してリンク名とともにページ上の位置をカスタマイズできることが分かる。当然ながら、当業者は、ユーザー推薦のウェブサイト情報を求める他の方法の使用を選択することもできる。本開示の範囲は、開示された実施形態および想定例に限定されない。
【００３８】
実装例において、ウェブサイト情報を推薦するようユーザーに求めるために設けられたステップは、ユーザーの操作によっても開始される。たとえば、ナビゲーションページを開く、ナビゲーションページを閉じる、または特定のファンクションキーをクリックする、という操作により、リアルタイムで、または定期的に、システムの動作が自動的に開始される。推薦の反復を防ぐために、特定ウェブサイトに関する情報の取得後、システムは、取得したウェブサイト基本情報の対応ＵＲＬと現ページ上のそのウェブサイトリンクロゴの対応ＵＲＬを最初に比較することができる。その２つが同一であれば、システムは、そのウェブサイトがすでにページ上に追加されていることをユーザーに通知する。ＵＲＬが現ページ上のＵＲＬと同一でなければ、そのウェブサイトの基本情報がユーザーに提示される推薦情報になる。このようにして、ユーザーにとって不要な実行動作が減少される。
【００３９】
この実装例の技術を使用して、前述のとおり、システムはユーザーが興味をもつ可能性があるウェブサイトを自動的に分析し、それをユーザーに推薦することができることが分かる。これにより、ユーザーはナビゲーションページを簡便にカスタマイズすることができる。
【００４０】
上記の方法に対応して、本開示は、図６にオンラインナビゲーションページ生成システム６００を示す。このシステム６００は、ベースページをセットアップするウェブページ作成モジュール６１０、ユーザー定義のウェブサイト情報を受け取る情報受け取りモジュール６２０、および少なくとも１つのウェブリンクロゴを追加し、ユーザー定義のウェブサイト情報に基づいてナビゲーションページをオンラインで生成する生成モジュール６３０を含む。
【００４１】
ユーザー定義のウェブサイト情報には、ＵＲＬおよびユーザー定義のウェブサイト名とともに、ウェブサイトリンクロゴをベースページに追加する位置が含まれる。
【００４２】
図７は、オンラインナビゲーションページ生成システム７００の別の実施形態を示す。図６を参照して説明したモジュールに加え、システム７００は、ユーザーの操作に基づいてウェブサイトリンクロゴを編集または削除するロゴ処理モジュール６４０、ウェブサイトリンクロゴのアイコンをセットアップするアイコンセットアップモジュール６５０（アイコンはデフォルトアイコンまたはユーザー定義のアイコンとすることができる）、ベースページの背景画像をセットアップする背景セットアップモジュール６６０（背景画像はデフォルト背景画像またはユーザー定義の背景画像とすることができる）、ならびに情報受け取りモジュール６２０がユーザー定義のウェブサイト情報を受け取る前に少なくとも１つのウェブサイトの基本情報を取得する推薦モジュール６７０を含む。ロゴ処理モジュール６４０による編集には、当該ウェブリンクロゴの対応ＵＲＬ、ユーザー定義の名前、および／またはベースページ上のウェブサイトリンクロゴの編集が含まれる。
【００４３】
ウェブサイトの基本情報には、ウェブサイト名およびアドレスが含まれる。
【００４４】
１つの実施形態において、推薦モジュール６７０は、取得されたウェブサイトの基本情報を対応ウェブサイトアドレスと比較して、現ベースページ上のウェブサイトリンクロゴが対応ウェブサイトアドレスと同一かどうかを判定する比較ユニット、ならびに比較ユニットの結果が否定である場合に使用される推薦ユニットを含むことができる。その場合、当該ウェブサイトの基本情報が推薦ウェブサイト情報となり、それをユーザーが利用できるようになる。
【００４５】
便宜上、上記において、システムの各機能は別々に説明されている。当然ながら、本開示の実施においては、各モジュールの機能を１つ以上の一般的なソフトウェアおよび／またはハードウェアによって実行することができる。
【００４６】
上述の実施例から、当業者は、開示された方法がソフトウェアおよび普遍的ハードウェアプラットフォームを使用して実装可能であることを明確に理解することができる。本開示の技術的方式をソフトウェア製品として実現することができ、それをＲＯＭ／ＲＡＭ、磁気ディスク、またはＣＤのような記憶媒体に格納することができる。また、本開示のさまざまな実施例において、または実施例の特定部分で説明された方法をコンピュータ（パーソナルコンピュータ、サーバーまたはネットワーク機器など）が実行できるようにするある数の命令をこれに含めることができる。
【００４７】
便覧中のすべての実施例は、漸進的アプローチを用いて説明されている。各実施例の類似部分がそれぞれの中に確認され、各実施例の相違点が強調されている。とりわけ、システムの実施例は、基本的に方法の説明と同様であり、説明が単純化されている。必要に応じ、説明された方法の実施例の部分を参照することができる。説明されたシステムの実施例は指示的なものでしかなく、構成要素を分離するために用いられたユニットは、必ずしも物理的に分離されたものでなくてもよい。構成要素を説明するために用いられたユニットは、物理的ユニットであっても、またなくてもよい。実施例の方式の目標は、実際のニーズに基づいてモジュールの一部または全体を選ぶことによって達成される。当業者は、これをすみやかに理解し、実現することができる。
【００４８】
開示された方法および装置は、汎用または特定目的のコンピュータシステムの環境または構成で使用することができる。たとえば、パーソナルコンピュータ、サーバーコンピュータ、ハンドヘルド型装置または携帯型装置、タブレット型装置、マルチプロセッサシステム、マイクロプロセッサに基づくシステム、セットアップボックス、プログラムされた電子装置、ネットワークＰＣ、小型コンピュータ、大型コンピュータのほか、上記の任意のシステムまたは装置を含む分散コンピューティング環境がこれに含まれる。
【００４９】
本開示の説明内容は、プログラムモジュールなど、コンピュータによって実行されるコンピュータ実行可能命令の一般的文脈の中に位置づけられる。一般的に、１つのプログラムモジュールには、特定のタスクを実行するため、または特定の抽象データ型を実装するためのものとして、ルーチン、プログラム、オブジェクト、モジュール、データ構造などが含まれる。本開示を分散コンピューティング環境で実施することもできる。その分散コンピューティング環境では、通信ネットワークを介して接続された遠隔処理装置によってタスクが実行される。分散コンピューティング環境において、ローカルおよびリモートコンピュータの記憶媒体（記憶装置を含む）内にプログラムモジュールを配置することができる。
【００５０】
本開示は実施例を用いて説明されているが、上記から理解されるように、当業者は、本開示の趣旨および範囲から逸脱することなく、開示された実施形態をさまざまな方法で変更または修正することができる。
【図１】
2013508807.tif 000003
【図２】
2013508807.tif 000004
【図５】
2013508807.tif 000005
【図６】
2013508807.tif 000006
【図７】
2013508807.tif 000007
【図３】
2013508807.tif 000008
【図４】
2013508807.tif 000009
【国際調査報告】
2013508807.tif 000010